(57)【要約】【課題】  撮影時の状況に適した合成用画像オブジェクトをユーザに探索させることなく、撮影画像に応じた画像サイズ、合成座標で撮影画像に合成し記録する装置を提示することを目的とする。【解決手段】  記録時の撮影状況データによって合成用画像オブジェクトを探索し、前記合成用画像オブジェクトを撮影画像に合成して記録する自動合成記録モードを有することを特徴とする。【選択図】        図１
2005175587.tif 000002
【特許請求の範囲】
【請求項１】
カメラから得られた画像を記録媒体に記録する装置において、記録時の撮影状況データによって合成用画像オブジェクトを探索し、前記合成用画像オブジェクトを撮影画像に合成して記録する自動合成記録モードを有することを特徴とする画像記録装置。
【請求項２】
請求項１に記載の装置において、現在の位置情報を検出する位置検出手段を具備し、前記撮影状況データは、前記位置検出手段によって検出された位置情報であることを特徴とする画像記録装置。
【請求項３】
請求項１に記載の装置において、本体の傾き情報を検出する傾き検出手段を具備し、前記撮影状況データは、前記傾き検出手段によって検出された傾き情報であることを特徴とする画像記録装置。
【請求項４】
請求項１に記載の装置において、本体の方位情報を検出する方位検出手段を具備し、前記撮影状況データは、前記方位検出手段によって検出された方位情報であることを特徴とする画像記録装置。
【請求項５】
請求項１に記載の装置において、撮影レンズのズーム情報を検出するズーム検出手段を具備し、前記撮影状況データは、前記ズーム検出手段によって検出されたズーム情報であることを特徴とする画像記録装置。
【請求項６】
請求項１に記載の装置において、時間情報を検出する時間検出手段を具備し、前記撮影状況データは、前記時間検出手段によって検出された時間情報であることを特徴とする画像記録装置。
【請求項７】
請求項１に記載の装置において、前記撮影状況データによって前記合成用画像オブジェクトの合成サイズを変化させることを特徴とする画像記録装置。
【請求項８】
請求項１に記載の装置において、前記撮影状況データによって前記合成用画像オブジェクトの合成座標を変化させることを特徴とする画像記録装置。
【請求項９】
請求項１に記載の装置において、前記合成用画像オブジェクトに音声ファイルが関連付けられている場合、前記音声ファイルを再生することを特徴とする画像記録装置。
【請求項１０】
記録媒体に記録されている画像データを再生する装置において、前記画像データに付加されている付加情報を取得する付加情報取得手段を具備し、前記付加情報取得手段によって取得した付加情報によって合成用画像オブジェクトを探索し、前記合成用画像オブジェクトを再生画像に合成して再生する自動合成再生モードを有することを特徴とする画像再生装置。
【請求項１１】
請求項１０に記載の装置において、前記付加情報は、撮影時の位置情報であることを特徴とする画像再生装置。
【請求項１２】
請求項１０に記載の装置において、前記付加情報は、撮影時の本体の傾き情報であることを特徴とする画像再生装置。
【請求項１３】
請求項１０に記載の装置において、前記付加情報は、撮影時の本体の方位情報であることを特徴とする画像再生装置。
【請求項１４】
請求項１０に記載の装置において、前記付加情報は、撮影時の撮影レンズのズーム情報であることを特徴とする画像再生装置。
【請求項１５】
請求項１０に記載の装置において、前記付加情報は、時間情報であることを特徴とする画像再生装置。
【請求項１６】
請求項１０に記載の装置において、前記付加情報によって前記合成用画像オブジェクトの合成サイズを変化させることを特徴とする画像再生装置。
【請求項１７】
請求項１０に記載の装置において、前記付加情報によって前記合成用画像オブジェクトの合成座標を変化させることを特徴とする画像記録装置。
【請求項１８】
請求項１０に記載の装置において、前記合成用画像オブジェクトに音声ファイルが関連付けられている場合、前記音声ファイルを再生することを特徴とする画像再生装置。
【発明の詳細な説明】
【技術分野】
【０００１】
本発明は、画像記録装置および画像再生装置に関し、より具体的には記録時の現在位置、装置の傾き、装置の向き、ズーム状態、時間情報によって所望の合成用画像オブジェクトを撮影画像に合成する合成画像記録再生装置に関する。
【背景技術】
【０００２】
撮影時に、撮影画像に所望の合成用画像オブジェクトを合成して記録媒体に記録できる画像記録再生装置がある。合成して記録する場合、ユーザは合成したい合成用画像オブジェクトをメモリカードから探索、決定し、所定のサイズで所定の合成位置に合成して記録する。
【特許文献１】特開平７−２９８１９１号公報
【発明の開示】
【発明が解決しようとする課題】
【０００３】
このような従来の画像記録装置および画像再生装置では、ユーザが所望の合成用画像オブジェクトを撮影時に探索する必要がある。また、合成用画像オブジェクトの画像サイズ、合成座標も一定で撮影時の状況に見合った合成効果を実現するのが困難である。
【０００４】
本発明は、このような課題を解決し、撮影時の状況に適した合成用画像オブジェクトをユーザに探索させることなく、撮影画像に応じた画像サイズ、合成座標で撮影画像に合成し記録する画像記録装置および画像再生装置を提示することを目的とする。
【課題を解決するための手段】
【０００５】
この発明は下記の構成を備えることにより上記課題を解決できるものである。
【０００６】
（１）カメラから得られた画像を記録媒体に記録する装置において、記録時の撮影状況データによって合成用画像オブジェクトを探索し、前記合成用画像オブジェクトを撮影画像に合成して記録する自動合成記録モードを有することを特徴とする画像記録装置。
【０００７】
（２）前記（１）に記載の装置において、現在の位置情報を検出する位置検出手段を具備し、前記撮影状況データは、前記位置検出手段によって検出された位置情報であることを特徴とする画像記録装置。
【０００８】
（３）前記（１）に記載の装置において、本体の傾き情報を検出する傾き検出手段を具備し、前記撮影状況データは、前記傾き検出手段によって検出された傾き情報であることを特徴とする画像記録装置。
【０００９】
（４）前記（１）に記載の装置において、本体の方位情報を検出する方位検出手段を具備し、前記撮影状況データは、前記方位検出手段によって検出された方位情報であることを特徴とする画像記録装置。
【００１０】
（５）前記（１）に記載の装置において、撮影レンズのズーム情報を検出するズーム検出手段を具備し、前記撮影状況データは、前記ズーム検出手段によって検出されたズーム情報であることを特徴とする画像記録装置。
【００１１】
（６）前記（１）に記載の装置において、時間情報を検出する時間検出手段を具備し、前記撮影状況データは、前記時間検出手段によって検出された時間情報であることを特徴とする画像記録装置。
【００１２】
（７）前記（１）に記載の装置において、前記撮影状況データによって前記合成用画像オブジェクトの合成サイズを変化させることを特徴とする画像記録装置。
【００１３】
（８）前記（１）に記載の装置において、前記撮影状況データによって前記合成用画像オブジェクトの合成座標を変化させることを特徴とする画像記録装置。
【００１４】
（９）前記（１）に記載の装置において、前記合成用画像オブジェクトに音声ファイルが関連付けられている場合、前記音声ファイルを再生することを特徴とする画像記録装置。
【００１５】
（１０）記録媒体に記録されている画像データを再生する装置において、前記画像データに付加されている付加情報を取得する付加情報取得手段を具備し、前記付加情報取得手段によって取得した付加情報によって合成用画像オブジェクトを探索し、前記合成用画像オブジェクトを再生画像に合成して再生する自動合成再生モードを有することを特徴とする画像再生装置。
【００１６】
（１１）前記（１０）に記載の装置において、前記付加情報は、撮影時の位置情報であることを特徴とする画像再生装置。
【００１７】
（１２）前記（１０）に記載の装置において、前記付加情報は、撮影時の本体の傾き情報であることを特徴とする画像再生装置。
【００１８】
（１３）前記（１０）に記載の装置において、前記付加情報は、撮影時の本体の方位情報であることを特徴とする画像再生装置。
【００１９】
（１４）前記（１０）に記載の装置において、前記付加情報は、撮影時の撮影レンズのズーム情報であることを特徴とする画像再生装置。
【００２０】
（１５）前記（１０）に記載の装置において、前記付加情報は、時間情報であることを特徴とする画像再生装置。
【００２１】
（１６）前記（１０）に記載の装置において、前記付加情報によって前記合成用画像オブジェクトの合成サイズを変化させることを特徴とする画像再生装置。
【００２２】
（１７）前記（１０）に記載の装置において、前記付加情報によって前記合成用画像オブジェクトの合成座標を変化させることを特徴とする画像記録装置。
【００２３】
（１８）前記（１０）に記載の装置において、前記合成用画像オブジェクトに音声ファイルが関連付けられている場合、前記音声ファイルを再生することを特徴とする画像再生装置。
【発明の効果】
【００２４】
以下の説明から容易に理解できるように、本発明によれば、撮影位置と撮影時の本体の傾きと撮影時の本体の向きと撮影時のズーム状態、及び時間情報に応じた合成画像を探索し、撮像画像に応じた合成サイズ、合成位置で簡易に合成することができ、撮影時の状況に応じた合成画像を得ることができる。
【００２５】
また、撮影位置と撮影時の本体の傾きと撮影時の本体の向き、及び撮影時のズーム状態からなる画像合成用付加情報を撮影画像データに付加して記録することができる。
【００２６】
また、前記画像合成用付加情報が付加されている画像データを再生する場合、付加情報に応じた合成画像をユーザに探索させることなく決定でき、撮像画像に応じた合成サイズ、合成位置で合成し再生することができる。
【００２７】
また、星座の合成用画像オブジェクトを、メモリカードを含む記録領域に記録しておけば、撮影した星空に応じて、星座を象徴したプラネタリウム効果が実現できる。
【００２８】
また、観光名所の合成用画像オブジェクトを、観光ガイド音声クリップを関連付けてメモリカードを含む記録領域に記録しておけば、地域に応じた合成画像を表示しながら観光ガイド音声クリップを再生し、観光ガイド効果を実現できる。
【発明を実施するための最良の形態】
【００２９】
本発明の画像記録装置は、カメラから得られた画像を記録媒体に記録する装置において、記録時の撮影状況データによって合成用画像オブジェクトを探索し、前記合成用画像オブジェクトを撮影画像に合成して記録する自動合成記録モードを有することを特徴とする。
【００３０】
また、本発明の特徴とするところは、現在の位置情報を検出する位置検出手段を具備し、前記撮影状況データは、前記位置検出手段によって検出された位置情報であることを特徴とする。
【００３１】
また、本発明の特徴とするところは、本体の傾き情報を検出する傾き検出手段を具備し、前記撮影状況データは、前記傾き検出手段によって検出された傾き情報であることを特徴とする。
【００３２】
また、本発明の特徴とするところは、本体の方位情報を検出する方位検出手段を具備し、前記撮影状況データは、前記方位検出手段によって検出された方位情報であることを特徴とする。
【００３３】
また、本発明の特徴とするところは、撮影レンズのズーム情報を検出するズーム検出手段を具備し、前記撮影状況データは、前記ズーム検出手段によって検出されたズーム情報であることを特徴とする。
【００３４】
また、本発明の特徴とするところは、時間情報を検出する時間検出手段を具備し、前記撮影状況データは、前記時間検出手段によって検出された時間情報であることを特徴とする。
【００３５】
また、本発明の特徴とするところは、前記撮影状況データによって前記合成用画像オブジェクトの合成サイズを変化させることを特徴とする。
【００３６】
また、本発明の特徴とするところは、前記撮影状況データによって前記合成用画像オブジェクトの合成座標を変化させることを特徴とする。
【００３７】
また、本発明の特徴とするところは、前記合成用画像オブジェクトに音声ファイルが関連付けられている場合、前記音声ファイルを再生することを特徴とする。
【００３８】
本発明の画像再生装置は、記録媒体に記録されている画像データを再生する装置において、前記画像データに付加されている付加情報を取得する付加情報取得手段を具備し、前記付加情報取得手段によって取得した付加情報によって合成用画像オブジェクトを探索し、前記合成用画像オブジェクトを再生画像に合成して再生する自動合成再生モードを有することを特徴とする。
【００３９】
また、本発明の特徴とするところは、前記付加情報は、撮影時の位置情報であることを特徴とする。
【００４０】
また、本発明の特徴とするところは、前記付加情報は、撮影時の本体の傾き情報であることを特徴とする。
【００４１】
また、本発明の特徴とするところは、前記付加情報は、撮影時の本体の方位情報であることを特徴とする。
【００４２】
また、本発明の特徴とするところは、前記付加情報は、撮影時の撮影レンズのズーム情報であることを特徴とする。
【００４３】
また、本発明の特徴とするところは、前記付加情報は、時間情報であることを特徴とする。
【００４４】
また、本発明の特徴とするところは、前記付加情報によって前記合成用画像オブジェクトの合成サイズを変化させることを特徴とする。
【００４５】
また、本発明の特徴とするところは、前記付加情報によって前記合成用画像オブジェクトの合成座標を変化させることを特徴とする。
【００４６】
また、本発明の特徴とするところは、前記付加情報によって選択された合成用画像オブジェクトに音声ファイルが関連付けられている場合、前記音声ファイルを再生することを特徴とする。
【実施例】
【００４７】
次に、添付の図面を参照しながら本発明の画像記録再生装置の実施形態について説明する。
【００４８】
図１は、本発明に係わる画像記録再生装置の概略ブロック図、図２は、自動画像合成モードの一実施例のイメージ図、図３は、自動合成画像モード記録の一実施例の動作フローチャート、図４は、画像合成用付加情報記録モードの一実施例の動作フローチャート、図５は、付加情報記録モードで記録した画像データ再生時の一実施例の動作フローチャートである。
【００４９】
図１は本発明に係わる画像記録再生装置の概略ブロック図である。
【００５０】
１０１は被写体からの光を受光するレンズ、１０２は受光した光を信号に変換するＣＣＤ、１０３はアンテナ１０４で図示せぬ通信衛星などから位置情報を検知するＧＰＳ、１０４はアンテナ、１０５は画像を拡大縮小するリサイズ部、１０６はメモリカードなど画像を記録保持できるメモリ、１０７は画像記録再生装置を制御するＣＰＵ、１０８は画像記録再生装置の向きを検知する方位検出部、１０９は画像記録再生装置の傾きを検知するジャイロセンサ、１１０はＣＣＤ１０２からの画像信号を処理する画像信号処理部、１１１は画像信号処理からの画像とメモリ１０６に記録保持されている画像を合成する画像合成部、１１２は画像を表示するＬＣＤなどの表示部、１１３は記録媒体１１４へデータを記録または記録媒体１１４に記録されているデータを読み取る記録再生部で、１１４はディスク、テープ、半導体メモリなどの記録媒体である。レンズ１０１〜記録再生部１１３で本発明に係わる画像記録再生装置を構成している。
【００５１】
通常撮影時は、レンズ１０１で受光した被写体からの光をＣＣＤ１０２で信号に変換し、画像信号処理部１１０で信号処理した画像データを、記録再生部１１３を介して記録媒体１１４に記録する。また、通常再生時は記録媒体１１４に記録されている画像データを、記録再生部１１３を介して読み取り、画像信号処理部１１０で処理し、ＬＣＤ１１２または図示せぬ外部インタフェースから出力する。
【００５２】
図２は本発明における画像記録再生装置において、自動画像合成モードの一実施例のイメージ図である。
【００５３】
まず、自動画像合成モードの種類はプラネタリウムが選択されている。画像２−１は通常撮影画像であり、この画像２−１を撮影時の位置情報、傾き情報、方位情報をそれぞれＧＰＳ１０３、ジャイロセンサ１０９、方位検出部１０８によって取得する。取得した位置情報と傾き情報と方位情報によって、メモリ１０６に記録されている画像データから、合成する画像データを選択する。選択された画像が画像２−２である。次に位置情報、傾き情報、方位情報、ズーム情報から画像２−２を画像２−１に合成するサイズと座標を決定する。また、選択さている合成モードがプラネタリウムなので画像２−１からも星の位置を判断し、サイズと座標を決定する。リサイズ部１０５によって決定したサイズに画像２−２をリサイズし、決定した座標で画像２−１と合成する。以上のようにして、本発明における自動画像合成モードのプラネタリウムで合成された画像が画像２−３である。
【００５４】
図３は本発明における画像記録再生装置において、自動合成画像モード記録の一実施例の動作フローチャートである。
【００５５】
まず、画像記録再生装置は記録モードに設定されている。ＣＰＵ１０７は自動画像合成モードがＯＮになっているか判断する（Ｓ３０１）。ＮＯならばＳ３１０に移る。ＹＥＳならばＧＰＳ１０３とアンテナ１０４から現在の位置情報を取得する（Ｓ３０２）。次に方位検出部１０８から画像記録再生装置の向き（方位）を取得する（Ｓ３０３）。次にジャイロセンサ１０９から画像記録再生装置の傾きを検出する（Ｓ３０４）。次に現在の時間を取得する（Ｓ３０５）。Ｓ３０２、Ｓ３０３、Ｓ３０４、Ｓ３０５でそれぞれ取得した位置情報、向き、傾き、時間からメモリ１０６に所望の合成用画像が記録されているか判断する（Ｓ３０６）。ＮＯならばＳ３１０に移る。ＹＳＥならば位置情報、向き、傾き、時間、レンズ１０１のズーム情報と画像信号処理部１１０で処理された画像データから合成位置と所望の合成用画像の合成サイズを決定する（Ｓ３０７）。所望の合成用画像をメモリ１０６から読み出し、リサイズ部１０５によってＳ３０７で決定された合成サイズに拡大または縮小する（Ｓ３０８）。次にＳ３０７で決定した合成位置に従って、画像信号処理部１１０で処理された記録画像と、Ｓ３０８でリサイズされた所望の合成用画像を合成部１１１によって合成する（Ｓ３０９）。画像をＬＣＤ１１２に表示する（Ｓ３１０）。記録動作が実行中か判断する（Ｓ３１１）。ＮＯならばＳ３０１に戻る。ＹＥＳならば記録再生部１１３を介して記録媒体１１４に記録する（Ｓ３１２）。Ｓ３０１に戻る。
【００５６】
図４は本発明における画像記録再生装置において、画像合成用付加情報記録モードの一実施例の動作フローチャートである。
【００５７】
まず、画像記録再生装置は記録モードに設定されている。ＣＰＵ１０７は付加情報記録モードがＯＮになっているか判断する（Ｓ４０１）。ＮＯならばＳ４０８に移る。ＹＥＳならばＧＰＳ１０３とアンテナ１０４から現在の位置情報を取得する（Ｓ４０２）。次に方位検出部１０８から画像記録再生装置の向き（方位）を取得する（Ｓ４０３）。次にジャイロセンサ１０９から画像記録再生装置の傾きを検出する（Ｓ４０４）。レンズ１０１のズーム情報を取得する（Ｓ４０５）。次に現在の時間を取得する（Ｓ４０６）。Ｓ４０２、Ｓ４０３、Ｓ４０４、Ｓ４０５、Ｓ４０６でそれぞれ取得した位置情報、向き、傾き、ズーム情報、時間を画像信号処理１１０で処理された画像データに付加する（Ｓ４０７）。記録動作が実行中か判断する（Ｓ４０８）。ＮＯならばＳ４０１に戻る。ＹＥＳならば記録再生部１１３を介して記録媒体１１４に記録する（Ｓ４０９）。Ｓ４０１に戻る。
【００５８】
図５は図４の付加情報記録モードで記録した画像データ再生時の一実施例の動作フローチャートである。
【００５９】
まず、画像記録再生装置は再生モードに設定されている。ＣＰＵ１０７は再生動作が実行中か判断する（Ｓ５０１）。ＮＯならばＳ５０１に戻る。ＹＥＳならば記録媒体１１４から記録再生部１１３を介して画像データを読み込む（Ｓ５０２）。Ｓ５０２で読み込んだデータに本発明に係わる画像合成用付加情報が付加されているか判断する（Ｓ５０３）。ＮＯならばＳ５０９に移る。ＹＥＳならば画像合成用付加情報を取得する（Ｓ５０４）。Ｓ５０４で取得した画像合成用付加情報の位置情報、向き、傾き、時間からメモリ１０６に所望の合成用画像オブジェクトが記録されているか判断する（Ｓ５０５）。ＮＯならばＳ５０９に移る。ＹＥＳならばＳ５０４で取得した付加情報の位置情報、向き、傾き、時間、ズーム情報から所望の合成用画像オブジェクトの合成サイズ、合成位置を決定する（Ｓ５０６）。所望の合成用画像をメモリ１０６から読み出し、Ｓ５０６で決定した合成サイズにリサイズ部１０５によってリサイズする（Ｓ５０７）。Ｓ５０６で決定した合成位置に従って、画像信号処理部１１０で処理された再生画像と、Ｓ５０７でリサイズされた所望の合成用画像を合成部１１１によって合成する（Ｓ５０８）。画像をＬＣＤ１１２に表示、または図示せぬ外部インタフェースによって出力する（Ｓ５０９）。Ｓ５０１に戻る。
【００６０】
図６は本発明における画像記録再生装置において、自動画像合成モードの一実施例のイメージ図である。
【００６１】
まず、自動画像合成モードの種類は観光ガイド効果が選択されている。画像６−１は通常撮影画像であり、この画像６−１を撮影時の位置情報、傾き情報、方位情報をそれぞれＧＰＳ１０３、ジャイロセンサ１０９、方位検出部１０８によって取得する。取得した位置情報と傾き情報と方位情報によって、メモリ１０６に記録されている画像データから、合成する画像データを選択する。選択された画像が画像６−２である。次に位置情報、傾き情報、方位情報、ズーム情報から画像６−２を画像６−１に合成するサイズと座標を決定する。リサイズ部１０５によって決定したサイズに画像６−２をリサイズし、決定した座標で画像６−１と合成する。以上のようにして、本発明における自動画像合成モードの観光ガイド効果で合成された画像が画像６−３である。また、観光ガイド効果が選択されているので、画像６−２に関連付けられている音声ファイルを再生する。
【図面の簡単な説明】
【００６２】
【図１】本発明に係わる画像記録再生装置の概略ブロック図
【図２】自動画像合成モードの一実施例のイメージ図
【図３】自動合成画像モード記録の一実施例の動作フローチャート
【図４】画像合成用付加情報記録モードの一実施例の動作フローチャート
【図５】付加情報記録モードで記録した画像データ再生時の一実施例の動作フローチャート
【図６】自動画像合成モードの一実施例のイメージ図
【符号の説明】
【００６３】
１０１  レンズ
１０２  ＣＣＤ
１０３  ＧＰＳ
１０４  アンテナ
１０５  リサイズ部
１０６  メモリ
１０７  ＣＰＵ
１０８  方位検出部
１０９  ジャイロセンサ
１１０  画像信号処理部
１１１  画像合成部
１１２  表示部
１１３  記録再生部
１１４  記録媒体
【図１】
2005175587.tif 000003
【図２】
2005175587.tif 000004
【図３】
2005175587.tif 000005
【図４】
2005175587.tif 000006
【図５】
2005175587.tif 000007
【図６】
2005175587.tif 000008